Podtech/llm-jp-corpus-v4-ja_patent huggingface dataset:
【手続補正書】
【提出日】平成17年7月29日(2005.7.29)
【手続補正１】
【補正対象書類名】特許請求の範囲
【補正対象項目名】請求項１
【補正方法】変更
【補正の内容】
【請求項１】
光エレクトロニクスモジュールにおいて、
光ファイバを受動的に位置決めするための形につくられた溝と、光デバイスを受動的に位置決めするための形につくられた位置合せ要素とを備えるセラミックウエハボード、
前記位置合せ要素に接して前記セラミックウエハボードに固定され、これにより位置決めされる光デバイス、
前記溝内で位置決めされ、末端が前記光デバイスに隣接して位置決めされ、よって前記光デバイスに光結合されている光ファイバ、
前記セラミックウエハボードに固定された集積回路チップ、及び
前記セラミックウエハボード上に配され、前記集積回路チップを前記光デバイスに電気的に接続する導電材料、
を備えてなる光エレクトロニクスモジュール。
【手続補正２】
【補正対象書類名】特許請求の範囲
【補正対象項目名】請求項１０
【補正方法】変更
【補正の内容】
【請求項１０】
セラミックウエハボードの作成方法において、
少なくとも１つの受動位置合せ構造をもつ表面を有するシリコンウエハボードを提供する工程、
前記シリコンウエハボードから、前記位置合せ構造を再現するための形状を一部に備えた金型を作成する工程、
前記シリコンウエハボードの前記位置合せ構造と実質的に同じ形状を一部に有する未焼結セラミック材料を前記金型と嵌め合せる工程、及び
セラミックウエハボードを形成するために前記セラミック材料を焼結する工程、
を有してなる方法。
【手続補正書】
【提出日】平成17年9月8日(2005.9.8)
【手続補正１】
【補正対象書類名】特許請求の範囲
【補正対象項目名】全文
【補正方法】変更
【補正の内容】
【特許請求の範囲】
【請求項１】
ａ）ｉ）再帰反射層、
ｉｉ）再帰反射層上に配置された接着剤層、および
ｉｉｉ）接着剤層上に配置された１ミル未満の厚さを有するインク受容層、
を含む基材を提供するステップと、
ｂ）インク受容層を印刷するステップと、
を含む、再帰反射基材を印刷する方法。
【請求項２】
接着剤が０．３ＧＰａ未満の弾性係数を有する、請求項１に記載の方法。
【請求項３】
ａ）ｉ）再帰反射層、
ｉｉ）再帰反射層上に配置された接着剤層、および
ｉｉｉ）接着剤層上に配置された１ミル未満の厚さを有するインク受容層、
を含むシートと、
ｂ）インク受容層上の印刷された画像と、
を含む、画像形成された再帰反射製品。
【手続補正書】
【提出日】平成17年8月29日(2005.8.29)
【手続補正１】
【補正対象書類名】明細書
【補正対象項目名】特許請求の範囲
【補正方法】変更
【補正の内容】
【特許請求の範囲】
【請求項１】
無線識別装置のためのインテロゲータであって、
アンテナ駆動回路と、
第一のアンテナと、
第二のアンテナと、
前記アンテナ駆動回路によって発生された駆動電流を、前記第一のアンテナおよび前記第二のアンテナにそれぞれ向けられる実質的に同様である第一のアンテナ電流および第二のアンテナ電流に分割するように、前記アンテナ駆動回路に通信可能につながれるスプリッタ回路と
を備えているインテロゲータ。
【請求項２】
アンテナ駆動回路と、
前記アンテナ駆動回路に通信可能につながれて、駆動信号を受け取り、前記駆動信号をバランスのとられた第一のバランス駆動信号および第二のバランス駆動信号に分割するスプリッタ回路と、
前記スプリッタ回路に通信可能につながれて、前記第一のバランス駆動信号を受け取る第一のアンテナと、
前記スプリッタ回路に通信可能につながれて、前記第二のバランス駆動信号を受け取る第二のアンテナと、
前記第一のアンテナおよび前記第二のアンテナに通信可能につながれて、前記第一のアンテナおよび前記第二のアンテナによって得られたトランスポンダ信号を受け取り、復号する受信部と
を備えているインテロゲータ。
【請求項３】
電磁場における変動を検出する電界効果検出器／インテロゲータであって、
アンテナ駆動部と、
第一のアンテナと、
第二のアンテナと、
前記アンテナ駆動部によって発生された駆動電流を、前記第一のアンテナおよび前記第二のアンテナにそれぞれ向けられる、実質的に同様の第一のアンテナ駆動信号および第二のアンテナ駆動信号に分割するように、前記アンテナ駆動部に通信可能につながれたスプリッタ回路と、
前記スプリッタ回路に通信可能につながれて、前記第一のアンテナおよび前記第二のアンテナ上に現れる差分電流を測定する差分電流測定部と
を備えている電界効果検出器／インテロゲータ。
【請求項４】
前記スプリッタ回路と通信可能につながれて、前記第一のアンテナと前記第二のアンテナとの間の場の差分から得られる信号を得る差分電流検出部をさらに備えている請求項１から３のいずれか１つに記載のインテロゲータ。
【請求項５】
前記差分電流検出部は差動変圧器である請求項４に記載のインテロゲータ。
【請求項６】
前記場の差分から得られる信号を受け取る受信部と、前記信号を処理してエンコード情報を得るデコーダとをさらに備えている請求項４に記載のインテロゲータ。
【請求項７】
前記受信部は、前記第一のアンテナと前記第二のアンテナとの間のオフセットをゼロにする自動零調回路をさらに有している請求項２または６に記載のインテロゲータ。
【請求項８】
前記スプリッタ回路は、前記第一のアンテナおよび前記第二のアンテナへの駆動信号が実質的に等価になるように前記第一のアンテナおよび前記第二のアンテナを調節するアンテナバランス回路をさらに有している請求項１から３のいずれか１つに記載のインテロゲータ。
【請求項９】
前記第一のアンテナおよび前記第二のアンテナに提供される駆動電流を、所望の共振に合わせる自動調整回路をさらに備えている請求項１から３のいずれか１つに記載のインテロゲータ。
【手続補正書】
【提出日】平成17年8月29日(2005.8.29)
【手続補正１】
【補正対象書類名】特許請求の範囲
【補正対象項目名】全文
【補正方法】変更
【補正の内容】
【特許請求の範囲】
【請求項１】
半導体ウェーハ及び関連の基板物品をキャリヤドア及びキャリヤシェルを備えたウェーハキャリヤと外部周囲条件から隔離された環境との間で移送するシステムであって、互いに間隔を置いて設けられていて下支持部材及び上支持部材に取り付けられた少なくとも２つの垂直方向ストラットを有すると共に少なくとも１つのＩ／Ｏポート及びポートドア／キャリヤドア貯蔵領域を画定する一体形フレームと、前記垂直方向ストラットの各々に取り付けられたキャリヤドッキング／隔離プレートと、前記下支持部材に取り付けられていて、ウェーハキャリヤを支持し、ウェーハキャリヤを前記キャリヤドッキング／隔離プレートに近づけたりウェーハキャリヤを前記キャリヤドッキング／隔離プレートから遠ざけるキャリヤ前進組立体と、キャリヤドアに係合してこれと結合するポートドア及び前記ポートドアを前記Ｉ／Ｏポートと前記ポートドア／キャリヤドア貯蔵領域との間で移動させる駆動機構を有するポートドア組立体と、前記下支持部材に取り付けられると共に外部周囲条件から隔離された環境内に設置されたウェーハ取扱いロボットとを有することを特徴とするシステム。
【手続補正書】
【提出日】平成17年6月20日(2005.6.20)
【手続補正１】
【補正対象書類名】特許請求の範囲
【補正対象項目名】全文
【補正方法】変更
【補正の内容】
【特許請求の範囲】
【請求項１】
第1のフリップフロップ及びn個の他のフリップフロップを有するシフトレジスタを有する疑似ランダムジェネレータであって、前記各フリップフロップは、D入力、非反転出力、反転出力及び共通クロック入力を有し、前記第1のフリップフロップは設定入力を有し、前記各非反転出力は、NORゲートを介して前記第1のフリップフロップの前記設定入力に接続され、前記各フリップフロップの前記非反転出力は、前記第1のフリップフロップの前記入力にXORゲートを介して接続される、ジェネレータにおいて、前記ジェネレータは、少なくとも1つの追加のフリップフロップを含む少なくとも1つの追加の論理ゲートを有することを特徴とするジェネレータ。
【請求項２】
請求項1に記載の疑似ランダムジェネレータにおいて、前記追加の論理ゲートは、第n番目のフリップフロップの反転出力と非反転出力との間でトグルするよう前記フリップフロップの前記出力に接続されたゲートを有する、擬似ランダムジェネレータ。
【請求項３】
請求項2に記載の疑似ランダムジェネレータにおいて、前記追加の論理ゲートはANDゲートを有し、前記ANDゲートの1つの入力は前記共通クロックに接続され、他の入力はNORゲートの出力に接続され、前記ANDゲートの出力は前記追加のフリップフロップのクロック入力に接続され、前記追加のフリップフロップの反転出力は自身のD入力に接続され、前記追加のフリップフロップの非反転出力はXORゲートの1つの入力に接続される、擬似ランダムジェネレータ。
【請求項４】
請求項2又は3に記載の疑似ランダムジェネレータにおいて、前記各フリップフロップはD型フリップフロップである、擬似ランダムジェネレータ。
【請求項５】
請求項1に記載の疑似ランダムジェネレータにおいて、当該ジェネレータの前記出力で追加の論理0を生成する手段を特徴とする擬似ランダムジェネレータ。
【請求項６】
請求項5に記載の疑似ランダムジェネレータにおいて、前記追加の論理0生成手段は、前記各フリップフロップの前記非反転出力を第1のANDゲートを介して前記追加のフリップフロップの入力に接続し、前記追加のフリップフロップの反転出力を第2のANDゲートの1つの入力と接続し、前記第2のANDゲートの他の入力を前記クロックパルスに接続し、前記第2のANDゲートの出力を、前記シフトレジスタの前記各フリップフロップの前記入力に設けられたそれぞれの追加のANDゲートを介して前記シフトレジスタの前記各フリップフロップに接続する手段を有する、擬似ランダムジェネレータ。
【請求項７】
請求項1に記載の疑似ランダムジェネレータにおいて、入力信号をチョップする手段を特徴とする擬似ランダムジェネレータ。
【請求項８】
請求項7に記載の疑似ランダムジェネレータにおいて、前記チョップ手段は、前記入力信号をランダムにチョップする手段を有する、疑似ランダムジェネレータ。
【請求項９】
請求項1に記載の疑似ランダムジェネレータにおいて、前記シフトレジスタに第1の所定の周波数の入力クロックパルスを供給する手段及び第2の周波数で動作する周波数変調器を特徴とし、前記第1の周波数は偶数の整数2nによって割られた出力周波数であり、前記変調周波数は前記出力周波数と実質的に同一であることを特徴とする擬似ランダムジェネレータ。
【請求項１０】
請求項9に記載の疑似ランダムジェネレータにおいて、前記第1の周波数は、サンプルレートの4分の1であり、前記第2の変調周波数は、前記サンプルレートの約半分である、擬似ランダムジェネレータ。
【請求項１１】
第1のフリップフロップ及びn個の他のフリップフロップを有するシフトレジスタを有する疑似ランダムジェネレータによって擬似ランダム論理信号を生成する方法であって、前記各フリップフロップは、D入力、非反転出力、反転出力及び共通クロック入力を有し、前記第1のフリップフロップは設定入力を有し、前記各非反転出力は、NORゲートを介して前記第1のフリップフロップの前記設定入力に接続され、前記各フリップフロップの前記非反転出力は、前記第1のフリップフロップの前記入力にXORゲートを介して接続される、方法において、前記ジェネレータは、少なくとも1つの追加のフリップフロップを含む少なくとも1つの追加の論理ゲートを有することを特徴とする方法。
【請求項１２】
請求項11に記載の方法を実行するためのコンピュータプログラム。
【手続補正書】
【提出日】平成17年5月19日(2005.5.19)
【手続補正１】
【補正対象書類名】特許請求の範囲
【補正対象項目名】全文
【補正方法】変更
【補正の内容】
【特許請求の範囲】
【請求項１】
トリック・モード再生用に最適化されたビデオ・セグメントを記憶媒体に録画する方法であって、
少なくとも１つの予測ピクチャを含む前記ビデオ・セグメントを受信するステップと、
前記少なくとも１つの予測ピクチャから少なくとも１つのシャドー・イントラ・ピクチャを選択的に形成するステップと、
前記少なくとも１つのシャドー・イントラ・ピクチャを前記ビデオ・セグメントに挿入するステップと、を含む、前記方法。
【請求項２】
前記ビデオ・セグメントは第１のビデオ部分および第２のビデオ部分を含み、前記第２のビデオ部分は少なくとも１つの導入予測ピクチャを含む、請求項１記載の方法。
【請求項３】
前記形成するステップは更に、前記第２のビデオ部分中の所定数の前記導入予測ピクチャを選択的に復号し、正しく復号された予測ピクチャを得るステップを含む、請求項２記載の方法。
【請求項４】
前記導入予測ピクチャそれぞれの一部はイントラ・マクロブロックを含み、前記所定数は前記導入予測ピクチャそれぞれの中の前記イントラ・マクロブロックの量に部分的に基づく、請求項３記載の方法。
【請求項５】
前記第２のビデオ部分は少なくとも１つの後続の予測ピクチャを含み、前記形成するステップは更に、
前記後続の予測ピクチャを選択的に復号するステップと、
前記後続の予測ピクチャおよび前記導入予測ピクチャを含むグループから選択された予測ピクチャをシャドー・イントラ・ピクチャに選択的に再符号化するステップとを含む、請求項３記載の方法。
【請求項６】
前記挿入するステップは更に、前記少なくとも１つのシャドー・イントラ・ピクチャを前記第１のビデオ部分に挿入するステップを含む、請求項２記載の方法。
【請求項７】
通常再生中は、前記少なくとも１つのシャドー・イントラ・ピクチャを無視するステップを更に含む、請求項１記載の方法。
【請求項８】
中程度の速度のトリック・モード再生中は、前記少なくとも１つのシャドー・イントラ・ピクチャを無視するステップを更に含む、請求項１記載の方法。
【請求項９】
前記ビデオ・セグメントは、通常のイントラ・ピクチャを全く含まないＭＰＥＧビデオ・セグメントである、請求項１記載の方法。
【請求項１０】
前記第１のビデオ部分に挿入される前記シャドー・イントラ・ピクチャそれぞれに含まれるビットの数を変更するステップを更に含む、請求項１記載の方法。
【請求項１１】
前記ビデオ・セグメントは、ケーブル伝送、衛星伝送、インターネットを含むグループから受け取られる、請求項１記載の方法。
【請求項１２】
トリック・モード再生用に最適化されたビデオ・セグメントを記憶媒体に録画するためのシステムであって、
少なくとも１つの予測ピクチャを含む前記ビデオ・セグメントを受け取るための受信機と、
前記少なくとも１つの予測ピクチャから少なくとも１つのシャドー・イントラ・ピクチャを選択的に形成するようにプログラムされたビデオ処理回路と、を備える、前記システム。
【請求項１３】
前記ビデオ処理回路は更に、前記少なくとも１つのシャドー・イントラ・ピクチャを前記ビデオ・セグメントに挿入するようにプログラムされた、請求項１２記載のシステム。
【請求項１４】
前記ビデオ・セグメントは第１のビデオ部分および第２のビデオ部分を含み、前記第２のビデオ部分は少なくとも１つの導入予測ピクチャを含む、請求項１３記載のシステム。
【請求項１５】
前記ビデオ処理回路は更に、前記第２のビデオ部分中の所定数の前記導入予測ピクチャを選択的に復号し、正しく復号された予測ピクチャを得るようにプログラムされた、請求項１４記載のシステム。
【請求項１６】
前記導入予測ピクチャそれぞれの一部はイントラ・マクロブロックを含み、前記所定数は前記導入予測ピクチャそれぞれの中の前記イントラ・マクロブロックの量に部分的に基づく、請求項１５記載のシステム。
【請求項１７】
前記第２のビデオ部分は少なくとも１つの後続の予測ピクチャを含み、前記ビデオ処理回路は更に、前記後続の予測ピクチャを選択的に復号し、前記後続の予測ピクチャおよび前記導入予測ピクチャを含むグループから選択された予測ピクチャをシャドー・イントラ・ピクチャに選択的に再符号化するようにプログラムされた、請求項１５記載のシステム。
【請求項１８】
前記ビデオ処理回路は更に、前記少なくとも１つのシャドー・イントラ・ピクチャを前記第１のビデオ部分に挿入するようにプログラムされた、請求項１４記載のシステム。
【請求項１９】
前記ビデオ処理回路は更に、通常再生中は前記少なくとも１つのシャドー・イントラ・ピクチャを無視するようにプログラムされた、請求項１２記載のシステム。
【請求項２０】
前記ビデオ処理回路は更に、中程度の速度のトリック・モード再生中は前記少なくとも１つのシャドー・イントラ・ピクチャを無視するようにプログラムされた、請求項１２記載のシステム。
【請求項２１】
前記ビデオ・セグメントは、通常のイントラ・ピクチャを全く含まないＭＰＥＧビデオ・セグメントである、請求項１２記載のシステム。
【請求項２２】
前記ビデオ処理回路は更に、前記ビデオ・セグメントに挿入される前記シャドー・イントラ・ピクチャそれぞれに含まれるビットの数を変更するようにプログラムされた、請求項１２記載のシステム。
【請求項２３】
前記ビデオ・セグメントはケーブル伝送、衛星伝送、インターネットを含むグループから受信される、請求項１２記載のシステム。
【手続補正書】
【提出日】平成17年6月9日(2005.6.9)
【手続補正１】
【補正対象書類名】特許請求の範囲
【補正対象項目名】全文
【補正方法】変更
【補正の内容】
【特許請求の範囲】
【請求項１】
＞１５％のタモキシフェンを含んでなり、
さらに：
ａ）有効量の希釈剤；
ｂ）有効量の崩壊剤；
ｃ）有効量の結合剤；および
ｄ）有効量の滑沢剤；
を含んでなる医薬製剤であって、
２％（ｗ／ｗ）以下の水分含量を有し、約３０，０００〜約５５，０００ｃｍ2／１００
ｇタモキシフェンの顆粒表面積を有する顆粒を含む、前記製剤。
【請求項２】
有効量のアナストロゾールをさらに含んでなる、請求項１に記載の医薬製剤。
【請求項３】
前記製剤が錠剤である、請求項１又は２に記載の医薬製剤。
【請求項４】
有効量の皮膜形成要素；
有効量の可塑剤；および
有効量の乳白剤
を含んでなるコーティング剤をさらに含んでなる、請求項３に記載の医薬製剤。
【請求項５】
ａ）約２．７５ｍｇのヒドロキシプロピルメチルセルロース；
ｂ）約０．５４ｍｇのポリエチレングリコール  ３００；および
ｃ）約０．９０ｍｇの二酸化チタン
を含んでなるコーティング剤をさらに含んでなる、請求項３に記載の医薬製剤。
【請求項６】
約＞１５％〜約２０％（ｗ／ｗ）までのクエン酸タモキシフェン；
約０．５％〜約０．６７％（ｗ／ｗ）までのアナストロゾール；
約１％〜約４％（ｗ／ｗ）までの結合剤；
約２〜５％（ｗ／ｗ）の崩壊剤；および
約（０．５〜２％の）滑沢剤
を含んでなる、医薬錠剤。
【請求項７】
前記錠剤が第一の希釈剤を約６０％〜約８０％（ｗ／ｗ）までの量でさらに含む、請求項６に記載の錠剤。
【請求項８】
前記錠剤が第二の希釈剤を約５〜２０％（ｗ／ｗ）の量でさらに含み、両方の希釈剤の全量は、錠剤の全重量の約６０〜８０％（ｗ／ｗ）である、請求項７に記載の錠剤。
【請求項９】
本質的に、下記のａ）〜ｇ）からなる錠剤：
ａ）約３０．４ｍｇのクエン酸タモキシフェン；
ｂ）約１．０ｍｇのアナストロゾール；
ｃ）約１１８．０ｍｇの乳糖一水和物；
ｄ）約１８．０ｍｇの微結晶性セルロース；
ｅ）約７．２ｍｇのクロスカルメロースナトリウム；
ｆ）約３．６ｍｇのポビドン；および
ｇ）約１．８ｍｇのステアリン酸マグネシウム。
【請求項１０】
下記のａ）〜ｇ）を含む、クエン酸タモキシフェンの医薬製剤を調製する方法：
ａ）クエン酸タモキシフェン、アナストロゾール、乳糖一水和物、微結晶性セルロース
、クロスカルメロースナトリウム、及びポビドンを乾式混合して乾性混合物を形成すること；
ｂ）乾性混合物を水と混合して湿性造粒物を形成すること；
ｃ）大きな凝集物を砕くこと；
ｄ）２％（ｗ／ｗ）以下の水分含量まで顆粒を乾燥させて乾性顆粒を形成すること；
ｅ）乾性顆粒を粉砕して粉砕乾性顆粒を形成すること；
ｆ）粉砕乾性顆粒へ滑沢剤を加えること；および
ｇ）滑沢剤を含有する乾性顆粒を混和すること。
【請求項１１】
下記のａ）〜ｈ）を含む、医薬製剤を作製する方法：
ａ）クエン酸タモキシフェン、アナストロゾール、少なくとも１つの希釈剤、崩壊剤、および結合剤を含む成分を混合機へ充填すること；
ｂ）上記成分を混合して均一な分布を有する成分の混合物を形成すること；
ｃ）成分の混合物へ水を加えて湿性塊を形成すること；
ｄ）湿性塊を篩いに通して顆粒を形成すること；
ｅ）顆粒を乾燥させて２％（ｗ／ｗ）以下の水分含量を有する乾燥顆粒を形成すること；
ｆ）乾燥顆粒へ滑沢剤を加えて滑沢剤：乾燥顆粒混合物を形成すること；
ｇ）滑沢剤：乾燥顆粒混合物を破砕すること；および
ｈ）破砕混合物を混和して混和顆粒を形成すること。
【請求項１２】
顆粒を錠剤に圧縮することをさらに含んでなる、請求項１０又は１１に記載の方法。
【請求項１３】
前記錠剤へフィルムコートを施すことをさらに含んでなる、請求項１２に記載の方法。
【手続補正書】
【提出日】平成17年9月27日(2005.9.27)
【手続補正１】
【補正対象書類名】特許請求の範囲
【補正対象項目名】全文
【補正方法】変更
【補正の内容】
【特許請求の範囲】
【請求項１】
式：(IV)
【化１】
2005508953.tif 000001
｛式中、
Rは、
(a)水素；
(b)-PO(OR5)2[ここでR5はそれぞれ独立して水素またはアルキルである]；
(c)-COR6[ここでR6はアルキルである]；または
(d)-CHR7NR8R9[ここでR7は水素またはアルキルであり、R8およびR9は独立して水素若しくはアルキルであるか；またはR8とR9はこれらが結合している窒素原子と一緒になってヘテロシクロアミノ環を形成する]
であり；
R1は水素、アルキル、アルコキシ、ヒドロキシ、トリフルオロメチル、トリフルオロメトキシ、F、Cl、Br、またはIであり；
R2は水素、アルキル、ヘテロアリール、アルコキシ、ヒドロキシ、F、Cl、Br、またはIであり；
R3は水素またはアルキルであり；
R4は水素またはアルキルであり；
環Aは場合により置換されたヘテロシクロアミノであり；
Hetはシクロアルキルアミノアルキル、シクロアルキルアルキルアミノアルキル、ヘテロアリール、複素環、ヘテロサイクリルカルボニルアルキル、ヘテロサイクリルアルキルカルボニルまたはヘテロサイクリルアルキルであり；
XはNR8R9またはOR8であり；および
ｎは０または１である｝
の化合物または医薬的に許容可能なその塩。
【請求項２】
式：(I)：
【化２】
2005508953.tif 000002
｛式中、
Rは、
(a)水素；
(b)-PO(OR5)2[ここでR5はそれぞれ独立して水素またはアルキルである]；
(c)-COR6[ここでR6はアルキルである]または
(d)-CHR7NR8R9[ここでR7は水素またはアルキルであり、R8およびR9は独立して水素若しくはアルキルであるか；またはR8とR9はこれらが結合している窒素原子と一緒になってヘテロシクロアミノ環を形成する]
であり；
R1は水素、アルキル、アルコキシ、ヒドロキシ、トリフルオロメチル、トリフルオロメトキシ、F、Cl、Br、またはIであり；
R2は水素、アルキル、ヘテロアリール、アルコキシ、ヒドロキシ、F、Cl、BrまたはIであり；
R3は水素またはアルキルであり；
R4は水素またはアルキルであり；
環Aは場合により置換されたヘテロシクロアミノであり；
Hetはシクロアルキルアミノアルキル、シクロアルキルアルキルアミノアルキル、ヘテロアリール、複素環またはヘテロサイクリルアルキルである｝
の化合物または医薬的に許容可能なその塩。
【請求項３】
請求項１または２の一つに記載の化合物であって、式中、
R1は水素、メチル、メトキシ、ヒドロキシ、F、ClまたはBrであり；および
R2は水素、メチル、メトキシ、ヒドロキシ、F、ClまたはBrである、前記化合物。
【請求項４】
請求項１または２の一つに記載の化合物であって、式中、R1がFであり；およびR2が水素である、前記化合物。
【請求項５】
請求項４に記載の化合物であって、式中、R1が前記インドリノン環の５位にあり；およびRが、-PO(OH)2、-COCH3、またはピロリジン-1-イルメチルである、前記化合物。
【請求項６】
請求項５に記載の化合物であって、式中、Rが水素であり、R3およびR4が独立して水素またはメチルである、前記化合物。
【請求項７】
請求項６に記載の化合物であって、式中、R3およびR4がメチルである、前記化合物。
【請求項８】
請求項１または２の一つに記載の化合物であって、式中、Aが４〜６個の環原子のヘテロシクロアミノ基である、前記化合物。
【請求項９】
請求項１または２の一つに記載の化合物であって、式中、Aがアゼチジン-1-イル、ピロリジン-1-イル、ピペリジン-1-イル、またはピペラジン-1-イルである、前記化合物。
【請求項１０】
請求項１または２の一つに記載の化合物であって、式中、Hetは４〜６個の環原子を含む複素環であり、ここで一つまたは二つの環原子は、窒素、酸素、または硫黄からなる群から選択され、残りの環原子は炭素原子である、前記化合物。
【請求項１１】
請求項１または２の一つに記載の化合物であって、式中、Hetがピペリジン-1-イル、モルホリン-4-イル、チオモルホリン-4-イル、ピペラジン-1-イル、2,6-ジメチルモルホリン-4-イル、または2,6-ジメチルピペラジン-1-イルであり、且つ前記A環の３または４位に配置されている、前記化合物。
【請求項１２】
請求項１１に記載の化合物であって、式中、Aがアゼチジン-1-イル、ピロリジン-1-イル、ピペリジン-1-イル、またはピペラジン-1-イルである、前記化合物。
【請求項１３】
請求項１または２の一つに記載の化合物であって、式中、Hetがヘテロサイクリルアルキルであり、ここで前記ヘテロサイクリル環は５または６個の環原子を含み、ここで一つまたは二つの環原子は、窒素、酸素、または硫黄から選択され、残りの環原子は炭素である、前記化合物。
【請求項１４】
請求項１３に記載の化合物であって、式中、Hetがピロリジン-1-イルメチルである、前記化合物。
【請求項１５】
請求項１４に記載の化合物であって、式中、Aがアゼチジン-1-イル、ピロリジン-1-イル、ピペリジン-1-イル、またはピペラジン-1-イルである、前記化合物。
【請求項１６】
請求項１４に記載の化合物であって、式中、Aがピロリジン-1-イルであり、ピロリジン-1-イルメチルは前記ピロリジン-1-イル環のC2位にあり、前記ピロリジン-1-イル環のC2位における立体化学はRまたはSである、前記化合物。
【請求項１７】
以下のもの：
【化３】
2005508953.tif 000003
【化４】
2005508953.tif 000004
からなる群から選択される化合物。
【請求項１８】
請求項１７に記載の化合物であって、式中、前記化合物が、
【化５】
2005508953.tif 000005
である、前記化合物。
【請求項１９】
請求項１−１８のいずれかに記載の化合物または塩と、医薬的に許容可能な担体または賦形剤とを含む医薬組成物。
【請求項２０】
インビトロでまたはヒトを除く動物において蛋白質キナーゼの触媒活性を調節する方法であって、請求項１−１８のいずれかに記載の化合物または塩と、前記蛋白質キナーゼとを接触させることを含む、前記方法。
【請求項２１】
請求項２０に記載の方法であって、前記蛋白質キナーゼがVEGFR、c-kit、およびPDGFRである、前記方法。
【請求項２２】
蛋白質キナーゼ関連の疾患の処置または予防のための医薬組成物であって、請求項１−１８のいずれかに記載の化合物または塩と、医薬的に許容可能な担体または賦形剤とを治療的有効量で含む医薬組成物。
【請求項２３】
請求項２２に記載の医薬組成物であって、前記疾患がVEGFR、c-kit、および／またはPDGFRキナーゼにより媒介される、前記医薬組成物。
【請求項２４】
請求項２３に記載の医薬組成物であって、前記蛋白質キナーゼに関連する疾患が、神経膠芽細胞腫、非小細胞肺癌、黒色腫、急性骨髄性白血病および結腸直腸癌からなる群から選択される癌である、前記医薬組成物。
【請求項２５】
請求項１または２に記載の化合物であって、式中、RがHである、前記化合物。
【手続補正書】
【提出日】平成17年10月4日(2005.10.4)
【手続補正１】
【補正対象書類名】特許請求の範囲
【補正対象項目名】全文
【補正方法】変更
【補正の内容】
【特許請求の範囲】
【請求項１】
以下の：
約ｐＨ５.５〜約ｐＨ６.５のｐＨを有する約２０〜６０ｍＭコハク酸緩衝液、
約０.０１％〜０.１％のポリソルベート、
製剤の等張性に寄与する浸透圧調整剤、及び
５０ｍｇ／ｍｌ以上の濃度を有する抗体
を含む安定な液体医薬製剤であって、ポリオールを含まない前記製剤。
【請求項２】
以下の：
約ｐＨ５.５〜約ｐＨ６.５のｐＨを有する約３０〜７０ｍＭヒスチジン緩衝液、
約０.０１％〜０.１％のポリソルベート、
製剤の等張性に寄与する浸透圧調整剤、及び
５０ｍｇ／ｍｌ以上の濃度を有する抗体
を含む安定な液体医薬製剤であって、ポリオールを含まない前記製剤。
【請求項３】
前記抗体が１００ｍｇ／ｍｌ以上の濃度を有する、請求項１又は２に記載の液体医薬製剤。
【請求項４】
前記浸透圧調整剤がＮａＣｌ又はＭｇＣｌ２である、請求項１又は２に記載の安定な液体医薬製剤。
【請求項５】
前記ＮａＣｌが７５〜１５０ｍＭである、請求項４に記載の安定な液体医薬製剤。
【請求項６】
前記ＭｇＣｌ２が１〜１００ｍＭである、請求項４に記載の安定な液体医薬製剤。
【請求項７】
前記ｐＨが約ｐＨ６.０〜６.５である、請求項１又は２に記載の安定な液体医薬製剤。
【請求項８】
前記ポリソルベートが約０.０２〜０.０４％の濃度である、請求項１又は２に記載の安定な液体医薬製剤。
【請求項９】
０.０１〜０.５％のＥＤＴＡを更に含む、請求項１又は２に記載の安定な液体医薬製剤。
【請求項１０】
前記製剤が約２〜８℃で少なくとも１年間は安定である、請求項１又は２に記載の安定な液体医薬製剤。
【請求項１１】
前記製剤が約２３〜２７℃で少なくとも６ヶ月間は安定である、請求項１又は２に記載の安定な液体医薬製剤。
【請求項１２】
以下の：
約ｐＨ５.５〜約ｐＨ６.５のｐＨを有する約２０〜６０ｍＭコハク酸緩衝液、
約０.０１％〜０.０５％のポリソルベート、
約７５〜１５０ｍＭの塩化ナトリウム、並びに
ダクリズマブ、フォントリズマブ、ＨＡＩＬ−１２、及びＨｕＥＰ５Ｃ７から成る群から選ばれる抗体であって、５０ｍｇ／ｍｌ以上の濃度を有する抗体
を含む液体医薬製剤であって、ポリオールを含まない前記製剤。
【請求項１３】
以下の：
約ｐＨ５.５〜約ｐＨ６.５のｐＨを有する約３０〜７０ｍＭヒスチジン緩衝液、
約０.０１％〜０.０５％のポリソルベート、
約７５〜１５０ｍＭの塩化ナトリウム、並びに
ダクリズマブ、フォントリズマブ、ＨＡＩＬ−１２、及びＨｕＥＰ５Ｃ７から成る群から選ばれる抗体であって、５０ｍｇ／ｍｌ以上の濃度を有する抗体
を含む液体医薬製剤であって、ポリオールを含まない前記製剤。
【請求項１４】
以下の：
ｐＨ５.５〜ｐＨ６．５のｐＨを有する２０〜６０ｍＭコハク酸緩衝液、
０.０１％〜０.０５％のポリソルベート、
７５〜１５０ｍＭの塩化ナトリウム、並びに
５０ｍｇ／ｍｌ以上の濃度を有するダクリズマブ抗体
を含む安定な液体医薬製剤。
【手続補正書】
【提出日】平成17年9月5日(2005.9.5)
【手続補正１】
【補正対象書類名】特許請求の範囲
【補正対象項目名】全文
【補正方法】変更
【補正の内容】
【特許請求の範囲】
【請求項１】
式（I）：
【化１】
2005508962.tif 000001
［式中、
mが０〜４である場合、R1はC1-6アルキル、C3-7シクロアルキル、C2-6アルケニル、-SO2NR4R5、-CONR4R5および-COOR4から選択され；
mが２〜４である場合、R1はさらにC1-6アルコキシ、ヒドロキシ、NR4R5、-NR4SO2R5、-NR4SOR5、-NR4COR5および-NR4CONR4R5から選択され；
R2は、水素、C1-6アルキルおよび-(CH2)n-C3-7シクロアルキルから選択され；
R3は基：
【化２】
2005508962.tif 000002
であり、
R4およびR5は、独立して、水素、C1-6アルキル、場合によりC1-4アルキルで置換されているヘテロ環およびフェニルから選択され、ここで該フェニルは場合により、独立してC1-6アルコキシ、C1-6アルキルおよびハロゲンから選択される２個以下の基で置換されているか；あるいは、R4およびR5は、それが結合している窒素原子と一緒になって、場合により酸素、硫黄および窒素から選択される1個のさらなるヘテロ原子を含む５員〜６員のヘテロ環もしくはヘテロアリール環を形成し、ここで該環は、２個以下のC1-6アルキル基で置換されていてもよく；
R6は、水素およびC1-4アルキルから選択され；
Uは、メチルおよびハロゲンから選択され；
XおよびYは、それぞれ独立して、水素、メチルおよびハロゲンから選択され；
mは、０、１、２、３および４から選択され、ここで、得られる炭素鎖の各炭素原子は場合により、独立してC1-6アルキルから選択される１個または２個の基で置換されていてもよく；
nは、０、１、２および３から選択され；
rは、０、１および２から選択される］
の化合物、またはその薬学的に許容される塩もしくは溶媒和物。
【請求項２】
R1が、C1-4アルキル、C3-6シクロアルキル、-CONHCH3、-SO2NH2、-SO2N(CH3)2、メトキシ、-NHSO2CH3および-NHCOCH3から選択される、請求項１に記載の化合物。
【請求項３】
R1が、C1-6アルキル、C3-7シクロアルキル、C2-6アルケニル、-CONR4R5、ヒドロキシおよびNR4R5から選択される、請求項１に記載の化合物。
【請求項４】
R2が、水素、C1-4アルキルおよび-CH2-シクロプロピルから選択され、さらに好ましくは水素である、請求項１〜３のいずれか１項に記載の化合物。
【請求項５】
R2が水素である、請求項４に記載の化合物。
【請求項６】
R6がC1-4アルキルである、請求項１〜５のいずれか１項に記載の化合物。
【請求項７】
mが０、１および２から選択される、請求項１〜６のいずれか１項に記載の化合物。
【請求項８】
pが０および１から選択される、請求項１〜７のいずれか１項に記載の化合物。
【請求項９】
実施例１〜29のいずれか１つで規定される請求項１に記載の化合物、またはその薬学的に許容される塩もしくは溶媒和物。
【請求項１０】
(a) 式（XII）：
【化３】
2005508962.tif 000003
[式中、R3、U、X、Yおよびrは請求項１で定義されているとおりである]
の化合物を、式(XIII)：
R1(CH2)mNR2H          （XIII）
［式中、R1、R2およびmは請求項1で定義されているとおりである］
の化合物と、アミド形成条件下で反応させるか；
b) 式（XIV）：
【化４】
2005508962.tif 000004
［式中、R3、XおよびYは請求項１で定義されているとおりである］
の化合物を、式（XV）：
【化５】
2005508962.tif 000005
［式中、R1、R2、U、mおよびrは請求項１で定義されているとおりであり、halはハロゲンである］
の化合物と、触媒存在下で反応させるか；または
c) 式（XVI）：
【化６】
2005508962.tif 000006
［式中、R3、U、X、Yおよびrは請求項１で定義されているとおりである］
の化合物を、式（XVII）：
R1(CH2)mNH2          （XVII）
［式中、R1およびmは請求項1で定義されているとおりである］
の化合物と、アミド形成条件下で反応させ、
続いて、式（XVIII）：
R2-hal          （XVIII）
［式中、R2は請求項1で定義されているとおりであり、halはハロゲンである］
の化合物と、塩基の存在下で反応させること
を含む、請求項１〜９のいずれか１項に記載の化合物の製造方法。
【請求項１１】
請求項１〜９のいずれか１項に記載の化合物またはその薬学的に許容される塩もしくは溶媒和物を、１種以上の薬学的に許容される担体、希釈剤もしくは賦形剤と混合させて含む医薬組成物。
【請求項１２】
治療に使用するための、請求項１〜９のいずれか１項に記載の化合物またはその薬学的に許容される塩もしくは溶媒和物。
【請求項１３】
p38キナーゼ活性により媒介されるか、またはp38キナーゼの活性により産生されるサイトカインにより媒介される症状または疾患状態の治療に使用するための医薬の製造における、請求項１〜９のいずれか１項に記載の化合物またはその薬学的に許容される塩もしくは溶媒和物の使用。
【手続補正書】
【提出日】平成17年10月7日(2005.10.7)
【手続補正１】
【補正対象書類名】特許請求の範囲
【補正対象項目名】全文
【補正方法】変更
【補正の内容】
【特許請求の範囲】
【請求項１】
以下の特性
―水以外の診断又は薬理学的に対象となる基質に対し、プロトン緩和増大法によって計測して少なくとも１０Ｍ-1の強度で非共有結合的に結合する能力、
―前記非共有結合的結合の結果として、３９℃及びｐＨ７．４で少なくとも２の、前記生理学的基質の核の緩和増大率
【数１】
2005508965.tif 000001
（式中、Ｒisは、常磁性促進なしでの対象となる基質核の観察される緩和速度を表し、Ｒis*は、常磁性キレート化合物が溶液中に存在する場合に観察される対応する緩和速度である）
を有する常磁性キレート錯体を含む、
ヒト又は動物の身体器官又は組織中の水とは異なる前記基質分子の磁気共鳴画像診断のための診断組成物。
【請求項２】
前記基質が、内因性であるか、又はその標識された前駆体から内因的に生成される、ラクテート、シトレート、カーボネート、ホスフェート、ピルベート、天然アミノ酸、オキサレート、タルトレート、スクシネート、コリン、クレアチン、アセテート及びマロネートから選択される、請求項１記載の診断組成物。
【請求項３】
前記基質がラクテートである、請求項２記載の診断組成物。
【請求項４】
脳腫瘍を画像診断するための、請求項３記載の診断組成物。
【請求項５】
基質がシトレートである、請求項２記載の診断組成物。
【請求項６】
前立腺腫瘍を画像診断するための、請求項５記載の診断組成物。
【請求項７】
基質がホスフェートである、請求項２記載の診断組成物。
【請求項８】
基質分子が、フッ素化又は13Ｃもしくは15Ｎ標識された薬物及びフッ素化又は13Ｃもしくは15Ｎ標識された代謝産物からなる群より選択される、請求項１記載の診断組成物。
【請求項９】
基質が、トリフルオロラクテートもしくはフッ素化シトレート又は13Ｃ標識ラクテートもしくは13Ｃ標識シトレートである、請求項８記載の診断組成物。
【請求項１０】
キレート化配位子が、キレート化された常磁性金属イオンの配位数を飽和させない系である、請求項１〜９のいずれか１項記載の診断組成物。
【請求項１１】
キレート化配位子が、直鎖状又は環式のポリアミノポリカルボン酸、ポリアミノポリホスホン酸又はポリアミノポリホスフィン酸残基もしくはそれらの誘導体、大環式シッフ塩基、ポルフィリンから選択される、請求項１〜１０のいずれか１項記載の診断組成物。
【請求項１２】
常磁性イオンが、原子番号５８〜７０のランタニド金属イオン又は原子番号２１〜２９及び４２〜４４の遷移金属イオンである、請求項１〜１１のいずれか１項記載の診断組成物。
【請求項１３】
常磁性イオンが、ガドリニウム（III）、鉄（II）、鉄（III）、マンガン（II）、マンガン（III）、クロム（III）、コバルト（III）、銅（II）、ニッケル（II）、ジスプロシウム（III）、エルビウム（III）、テルビウム（III）、ホルミウム（III）、ツリウム（III）、イッテルビウム（III）、ユーロピウム（II）及びユーロピウム（III）からなる群より選択される、請求項１２記載の診断組成物。
【請求項１４】
常磁性イオンが、ガドリニウム（III）、マンガン（II）又はマンガン（III）である、請求項１３記載の診断組成物。
【請求項１５】
キレート化配位子が、１０−〔（３−メトキシフェニル）メチル〕−１，４，７，１０−テトラアザシクロドデカン−１，４，７−トリス−〔（アミノカルボニル）メチル〕、３，６，９，１５−テトラアザビシクロ〔９．３．１〕ペンタデカ−１（１５）１１，１３−トリエン−３，６，９−三酢酸（ＰＣＴＡ）、３，６，９，１５−テトラアザビシクロ〔９．３．１〕ペンタデカ−１（１５）１１，１３−トリエン−３，６，９−トリス（メタンホスホン酸）（ＰＣＴＰ）、１，４，７，１０−テトラアザシクロドデカン−１，４，７，１０−テトラキス（メタンホスホン酸）（ＤＯＴＰ）、エチレンジアミン四酢酸（ＥＤＴＡ）及び１，４，７，１０−テトラアザシクロドデカン−１，４，７−三酢酸（ＤＯ３Ａ）から選択される、請求項１〜１４のいずれか１項記載の診断組成物。
【請求項１６】
常磁性キレート錯体又は生理的に許容しうるその塩を生理的に耐性の担体とともに含む医薬組成物であって、常磁性キレート錯体が基質分子に非共有結合的に結合し、前記結合の結果として、画像診断法の対象となる基質核の緩和増大率が３９℃及びｐＨ７．４で少なくとも２になり、場合によっては、常磁性錯体とのその直接相互作用を可能にする適切な形態又は場合によって適切なプロドラッグ形態に調合された非内因性基質分子をさらに含む医薬組成物。
【請求項１７】
非内因性基質分子が、人工的に、画像診断法の対象である特定の基質核又は同位体で富化されているか、それで標識されている、請求項１６記載の医薬組成物。
【請求項１８】
ヒト又は動物の身体器官又は組織中の水とは異なる内因性基質分子又は内因的に生成された基質分子の磁気共鳴画像診断の方法であって、基質分子に対して少なくとも１０Ｍ-1の強度で非共有結合的に結合し、前記結合の結果として、３９℃及びｐＨ７．４で少なくとも２の基質核の緩和増大率（ε）を誘発する常磁性キレート錯体を磁気共鳴画像診断法の造影剤として使用することを特徴とする方法で使用するためのキットであって、非内因性基質分子又はそのプロドラッグを生理的に耐性の担体とともに含む第一の医薬組成物と、生理的に許容しうる常磁性キレート錯体又はその塩を生理的に耐性の担体とともに含む第二の医薬組成物とを含み、前記非内因性基質分子及び前記常磁性キレート錯体が、常磁性キレート錯体が非共有結合的に非内因性基質に結合し、前記結合の結果として、画像診断法の対象となる基質核の緩和増大率（ε）が３９℃及びｐＨ７．４で少なくとも２になるよう適切に選択されているキット。
【請求項１９】
１０−〔（３−メトキシフェニル）メチル〕−１，４，７，１０−テトラアザシクロドデカン−１，４，７−トリス−〔（アミノカルボニル）メチル〕及び場合によってはシトレートとの三元錯体の形態にあるそのガドリニウム錯体、１０−〔（３−メトキシフェニル）メチル〕−１，４，７，１０−テトラアザシクロドデカン−１，４，７−三酢酸及びそのガドリニウム錯体、１０−〔（４−カルボキシフェニル）メチル〕−１，４，７，１０−テトラアザシクロドデカン−１，４，７−三酢酸及びそのガドリニウム錯体から選択される化合物。
【手続補正書】
【提出日】平成17年10月11日(2005.10.11)
【手続補正１】
【補正対象書類名】特許請求の範囲
【補正対象項目名】全文
【補正方法】変更
【補正の内容】
【特許請求の範囲】
【請求項１】
１日１回の基準で喘息を予防または治療するための医薬を製造するためのサルメテロールまたはその生理学的に許容される塩とフルチカゾンプロピオネートの組み合わせの使用。
【請求項２】
前記医薬が組み合せた医薬製剤である請求項１に記載の使用。
【請求項３】
前記医薬が吸入による投与に好適である請求項１または２に記載の使用。
【請求項４】
前記サルメテロールがそのキシナホエート塩の形態にある請求項１〜３のいずれか１項の記載の使用。
【請求項５】
サルメテロールまたはその生理学的に許容される塩とフルチカゾンプロピオネート、医薬的に許容される担体または賦形剤、場合によっては１以上の他の治療薬を含む１日１回の基準で喘息を予防または治療するための医薬製剤。
【請求項６】
吸入による投与に好適な形態にある請求項５に記載の医薬製剤。
【請求項７】
前記サルメテロールがそのキシナホエート塩の形態にある請求項５または６に記載の医薬製剤。
【請求項８】
前記医薬的に許容される担体または賦形剤がラクトースである請求項５〜７のいずれか１項に記載の医薬製剤。
【請求項９】
１日１回の喘息の治療で使用されるためのサルメテロールまたはその生理学的に許容される塩とフルチカゾンプロピオネート。
【手続補正書】
【提出日】平成16年8月2日(2004.8.2)
【手続補正１】
【補正対象書類名】特許請求の範囲
【補正対象項目名】全文
【補正方法】変更
【補正の内容】
【特許請求の範囲】
【請求項１】
以下の組み合わせ：
フィトスフィンゴシン、
抗酸化成分、
少なくともヒノキチオールおよびサリチレートを含む抗菌成分、ならびに
少なくとも多糖およびヤギ目サンゴ虫（gorgonian）抽出物を含む抗刺激成分、
を含む、酒さの病的状態に対してレチノイドを用いて処置した皮膚のための局所化粧品用または医薬組成物。
【請求項２】
さらに以下を含む、請求項１に記載の組成物：
約0.01〜10.0％のフィトスフィンゴシン、
約0.1〜0.5％の、少なくとも緑茶を含む抗酸化成分、
約0.05〜0.2％のヒノキチオール、
約0.1〜5.0％のサリチレート、
約0.05〜0.2％のヤギ目サンゴ虫抽出物、ならびに
約0.5〜2.0％の多糖。
【請求項３】
サリチレートがサリチル酸およびサリチル酸エステルからなる群より選択される、請求項２に記載の組成物。
【請求項４】
サリチレートが組成物全体の重量に対して約0.2〜1.0％の量で存在することを特徴とする、請求項１に記載の組成物。
【請求項５】
サリチレート；フィトスフィンゴシン；ならびに、緑茶、ヒノキチオール、ヤギ目サンゴ虫（gorgonian）抽出物および多糖の混合物を含有する抗刺激成分を含む組成物であって、酒さの病的状態に対してレチノイドを用いて処置した皮膚への刺激を、その皮膚に該組成物を局所適用することにより低減するために使用される、前記組成物。
【請求項６】
フィトスフィンゴシン；サリチレート；ならびに少なくとも緑茶を含有する抗酸化成分と、少なくともヒノキチオールを含有する抗菌成分と、ヤギ目サンゴ虫（gorgonian）抽出物および多糖の混合物を含有する抗刺激成分との混合物を含む組成物であって、酒さの病的状態に対してレチノイドを用いて局所的に処置した皮膚における発赤を、その皮膚に該組成物を局所適用することにより低減するために使用される、前記組成物。
【請求項７】
前記皮膚に局所適用することにより毛細血管拡張症を治療するために使用される、請求項１に記載の組成物。
【請求項８】
前記皮膚に局所適用することにより酒さを治療するために使用される、請求項１に記載の組成物。
【請求項９】
以下のa)〜d)の組み合わせを含む、レチノイドを用いて処置した皮膚における酒さの毛細血管拡張症状を治療するための局所化粧品用または医薬組成物。
a) 約0.01〜10.0％のフィトスフィンゴシン、
b) 有効量の、約0.1〜0.5％の緑茶を少なくとも含有する抗酸化成分の組み合わせ、
c) 約0.05〜0.2％のヒノキチオールおよび約0.1〜5.0％のサリチレートを少なくとも含有する抗菌成分、ならびに
d) 約0.05〜0.2％のヤギ目サンゴ虫（gorgonian）抽出物および約0.5〜2.0％の多糖の組み合わせを含有する、抗刺激成分
【請求項１０】
以下のa)〜d)を含有する、レチノイドを用いて処置した皮膚に局所適用するための酒さ治療システム。
a) 約0.1〜5.0％のサリチル酸および約0.05〜0.2％のヒノキチオールを含有する抗菌成分、
b) 約0.01〜10.0％のフィトスフィンゴシン、
c) 有効量の、約0.1〜0.5％の緑茶を少なくとも含有する抗酸化成分、ならびに
d) 約0.05〜0.2％のヤギ目サンゴ虫（gorgonian）抽出物および約0.5〜2.0％の多糖の組み合わせを含有する、抗刺激成分
【手続補正書】
【提出日】平成17年9月6日(2005.9.6)
【手続補正１】
【補正対象書類名】特許請求の範囲
【補正対象項目名】全文
【補正方法】変更
【補正の内容】
【特許請求の範囲】
【請求項１】
６色出力の出力プリンターで複写画像を印刷する方法であって、該複写画像が、ターゲットカラーデバイスから得られるようなターゲット画像に分光的かつ測色的に一致し、該ターゲットカラーデバイスと該出力プリンターとが異なり、
（１）該６色出力プリンターの出力の分光測定に基づいて該６色出力プリンターの６色分光プリンターモデルを構築する工程と、
（２）該ターゲットカラーデバイスの出力の分光測定に基づいて該ターゲットカラーデバイスの色スペクトルを取得する工程と、
（３）該ターゲットカラーデバイスの色スペクトルを該出力プリンターの分光モデルにフィッティングする工程と、
（４）該フィッティング工程に基づいて該ターゲットカラーデバイスを該出力プリンターにマッピングする工程と、
（５）該マッピング工程に基づいて該出力プリンターで第２の画像を印刷する工程と、
を含むことを特徴とする方法。
【手続補正２】
【補正対象書類名】明細書
【補正対象項目名】００４７
【補正方法】変更
【補正の内容】
【００４７】
３つのいずれの場合においても、結果は、非常に良好であると考えられる１未満の条件等色指数を有することを示している。
以下に、本発明の好ましい態様を示す。
１．  ６色出力の出力プリンターで複写画像を印刷する方法であって、該複写画像が、ターゲットカラーデバイスから得られるようなターゲット画像に分光的かつ測色的に一致し、該ターゲットカラーデバイスと該出力プリンターとが異なり、
（１）該６色出力プリンターの出力の分光測定に基づいて該６色出力プリンターの６色分光プリンターモデルを構築する工程と、
（２）該ターゲットカラーデバイスの出力の分光測定に基づいて該ターゲットカラーデバイスの色スペクトルを取得する工程と、
（３）該ターゲットカラーデバイスの色スペクトルを該出力プリンターの分光モデルにフィッティングする工程と、
（４）該フィッティング工程に基づいて該ターゲットカラーデバイスを該出力プリンターにマッピングする工程と、
（５）該マッピング工程に基づいて該出力プリンターで第２の画像を印刷する工程と、
を含むことを特徴とする方法。
２．  前記ターゲットカラーデバイスがカラープリンターであることを特徴とする１．に記載の方法。
３．  前記ターゲットカラーデバイスがロータリースクリーンプリンターであることを特徴とする１．に記載の方法。
４．  前記出力プリンターがインクジェットプリンターであることを特徴とする１．に記載の方法。
５．  前記出力プリンターがインクジェットプリンターであることを特徴とする３．に記載の方法。
６．  前記６色分光プリンターモデルが、ユール・ニールセン修正分光ノイゲバウアー式を用いて構築されることを特徴とする１．から５．のいずれか１項に記載の方法。